(57)【要約】  【課題】表示ユニットの伝送部の故障が発生しても、異常動作部位を少なくでき、信頼性を向上できる大型映像表示装置を提供する。  【解決手段】大型映像表示部に複数の表示ユニット５が配列されており、表示ユニット５間で表示データが伝送される。大型映像表示部に複数の系統で同一の表示データが供給される。各表示ユニット５の伝送部３１が、複数の系統の表示データを取得して正常な表示データを選択するように構成されている。好ましくは互いに異なる系統の表示データを伝送する２つの系統の表示ユニット５がデータ伝送方向に沿って交互に配置されている。各表示ユニット５は、データ伝送方向に沿って２ユニット前の表示ユニット５から同系統の表示データを取得すると共に、表示ユニット５を挟む前後の表示ユニット５の間で伝送される異系統の表示データをも取得する。【選択図】  図１
2007298753.tif 000002
【特許請求の範囲】
【請求項１】
複数の表示ユニットが配列されており、前記表示ユニット間のデータ伝送によって前記複数の表示ユニットの各々が表示データを取得して表示する大型映像表示部と、
前記大型映像表示部に複数の系統で同一の表示データを供給するデータ供給手段とを備え、
前記大型映像表示部の前記各表示ユニットが、前記表示データを取得して送出する処理を行う伝送部を備え、前記伝送部が、前記複数の系統の表示データを取得して、取得された前記複数の系統の表示データから正常な表示データを選択して表示し、選択した系統の表示データを下流側の表示ユニットに送出することを特徴とする大型映像表示装置。
【請求項２】
前記大型映像表示部は、互いに異なる系統の表示データを伝送する２つの系統の表示ユニットをデータ伝送方向に沿って交互に有しており、
前記各表示ユニットの前記伝送部は、前記データ伝送方向に沿って２ユニット前の前記表示ユニットから同系統の前記表示データを取得すると共に、前記表示ユニットを挟む前後の前記表示ユニットの間で伝送される異系統の前記表示データをも取得するように構成されていることを特徴とする請求項１に記載の大型映像表示装置。
【請求項３】
前記各表示ユニットは、前記伝送部の処理回路を通ることなく前記表示ユニットを通り抜けるバイパス経路を備え、
前記各表示ユニットの前記伝送部と前記バイパス経路が、前記データ伝送方向に沿って１ユニット前の前記表示ユニットの前記バイパス経路および前記伝送部とそれぞれ接続されており、
前記各表示ユニットの伝送部が、前記１ユニット前の表示ユニットの前記バイパス経路を経由して前記２ユニット前の表示ユニットの前記伝送部と接続されていることを特徴とする請求項２に記載の大型映像表示装置。
【請求項４】
前記各表示ユニットは、前記伝送部に通じる伝送部入力端および伝送部出力端と、前記バイパス経路のバイパス入力端およびバイパス出力端とを備え、
データ伝送経路に沿って前後の２つの前記表示ユニットはケーブルで接続され、前記ケーブルは、後側の前記表示ユニットの前記伝送部入力端および前記バイパス入力端を前側の前記表示ユニットの前記バイパス出力端および前記伝送部出力端と接続するように内部交差構造を有していることを特徴とする請求項３に記載の大型映像表示装置。
【請求項５】
各表示ユニットは、発光素子が配列された発光部を含む表示部と、前記表示部に対して着脱可能な着脱可能部とを備え、前記伝送部が前記表示部に設けられ、前記バイパス経路が前記着脱可能部に設けられていることを特徴とする請求項３または４に記載の大型映像表示装置。
【請求項６】
前記表示データが、複数の表示ユニットでそれぞれ表示されるべき複数のユニット表示データで構成され、
前記表示データが、各表示ユニットが取得すべきユニット表示データの前記表示データ内での位置を特定するアドレスデータと共に送信され、
前記伝送部は、前記伝送部から送出される前記アドレスデータを前記データ伝送方向に沿って１ユニット分だけ後側にずらす出力側アドレス変換回路と、前記２ユニット前の前記表示ユニットから取得された前記アドレスデータを前記データ伝送方向に沿って１ユニット分だけ後側にずらす入力側アドレス変換回路とを有することを特徴とする請求項２ないし５のいずれかに記載の大型映像表示装置。
【請求項７】
前記各表示ユニットの前記伝送部が、前記データ伝送方向に沿って上流側にあって前記表示ユニットからの間隔が異なる複数の他の表示ユニットから前記表示データを取得することを特徴とする請求項１に記載の大型映像表示装置。
【請求項８】
前記表示ユニットが複数の各々独立した伝送部を備え、前記複数の伝送部の各々が、前記複数の系統の表示データを入力して、前記複数の系統の表示データから正常な表示データを選択するように構成されていることを特徴とする請求項１に記載の大型映像表示装置。
【請求項９】
前記データ伝送方向に沿って先頭に位置する前記表示ユニットが、異なる複数の制御系から前記複数の系統の表示データを入力することを特徴とする請求項１ないし８のいずれかに記載の大型映像表示装置。
【請求項１０】
複数の表示ユニットが配列された大型映像表示部に適用され、前記表示ユニット間のデータ伝送によって前記複数の表示ユニットの各々が表示データを取得して、前記大型映像表示部が大型映像を表示する大型映像表示方法であって、
前記大型映像表示部に複数の系統で同一の表示データを供給し、
前記大型映像表示部の前記各表示ユニットが、前記複数の系統の表示データを取得して、取得された前記複数の系統の表示データから正常な表示データを選択して表示し、選択した系統の表示データを下流側の表示ユニットに送出することを特徴とする大型映像表示方法。
【請求項１１】
互いに異なる系統の表示データを伝送する２つの系統の表示ユニットをデータ伝送方向に沿って交互に配置し、
前記各表示ユニットが、前記データ伝送方向に沿って２ユニット前の前記表示ユニットから同系統の前記表示データを取得すると共に、前記表示ユニットを挟む前後の前記表示ユニットの間で伝送される異系統の前記表示データをも取得することを特徴とする請求項１０に記載の大型映像表示方法。
【請求項１２】
前記各表示ユニットが、前記データ伝送方向に沿って上流側にあって前記表示ユニットからの間隔が異なる複数の他の表示ユニットから前記表示データを取得することを特徴とする請求項１０に記載の大型映像表示方法。
【請求項１３】
前記表示ユニットが、複数の伝送部の各々にて、前記複数の系統の表示データを入力して、前記複数の系統の表示データから正常な表示データを選択することを特徴とする請求項１０に記載の大型映像表示方法。
【発明の詳細な説明】
【技術分野】
【０００１】
本発明は、複数の表示ユニットを配列することによって構成された大型画面を備えた大型映像表示装置に関し、特に、ユニット故障発生の影響を小さく抑える技術に関する。
【背景技術】
【０００２】
従来、数平方メートルまたはそれ以上に及ぶ大型画面を備えた大型映像表示装置が利用されている。この種の大型映像表示装置は、例えば、競技場やイベント会場、ビルの壁面などに設置されている。
【０００３】
大型映像表示装置は、多数の表示ユニットをマトリックス状に配置することによって構成されている。１つ１つの表示ユニットは、例えば１辺が数十センチメートルの四角形の表示装置であり、各表示ユニットには多数の発光素子が配列されている。発光素子は典型的にはＬＥＤである。
【０００４】
大型映像表示装置では、多数の表示ユニットに表示データを供給する必要がある。データ供給形式には、バス方式とカスケード方式がある。バス方式では、各々の表示ユニットがアドレスデータを格納しており、アドレスデータにより特定される表示データをバスラインから取得する。
【０００５】
従来一般には、上記のバス方式で表示データが供給されていた。しかし、最近は、大型映像表示装置の高階調化と多段接続を可能にするため、より高速で安価な伝送技術の適用が求められている。こうした背景の下、大型映像表示装置においてもＬＶＤＳ（Low Voltage Differential Signaling）等が一般的に採用されており、この場合、表示ユニットはカスケード形式でケーブルにより順々に接続され、ユニット間で表示データが受け渡される。
【０００６】
前者のバス方式の場合、１つの表示ユニットが故障したとしても、他の表示ユニットはバスラインから自アドレスの表示データの取得を継続できる。したがって、１つの表示ユニットが故障した時に複数の表示ユニットが同時に表示不能になるといった大きな不具合を避けることができる（例えば、特許文献１）。
【０００７】
一方、カスケード方式の場合、表示ユニットから表示ユニットへと表示データが順次受け渡される。１つの表示ユニットが故障したときに後ろに接続された表示ユニットも表示不能になると、複数の表示ユニットが同時に表示不能になり、不具合が大きくなる。こうした事態を避けるため、従来の大型映像表示装置は、以下に説明するように、各表示ユニットの表示部と伝送部とを分割した構成を備えている。
【０００８】
図１２および図１３は、カスケード形式の大型映像表示装置の構成例を示している。図１２において、大型映像表示部１０１は、マトリックス状に配列された多数の表示ユニット１０３で構成されている。これら多数の表示ユニット１０３は図示されないケーブルでカスケード状に接続されている。そして先頭の表示ユニット１０３は信号分配器１０５に接続されており、信号分配器１０５から表示データが供給される。
【０００９】
図１３は、１つの表示ユニット１０３の構成を示している。各表示ユニット１０３は、表示部１１１と、表示部１１１に対して着脱可能な伝送部１１３とで構成されている。伝送部１１３が、隣接する表示ユニット１０３の伝送部１１３とケーブルで接続される。
【００１０】
表示部１１１は、発光部１１５、データ表示制御部１１７および表示装置電源１１９を備えている。発光部１１５は、多数の発光素子が配列されたパネルである。データ表示制御部１１７は、伝送部１１３から受け取った表示データに従って発光部１１５を制御する。
【００１１】
伝送部１１３は、データ取得部１２１、波形矯正回路１２３、アドレス変換回路１２５および電圧降下回路１２７を備える。データ取得部１２１は、前段の表示ユニット１０３から表示データとアドレスデータを取得する。表示データは、複数の表示ユニットのための表示データの集まりである。ここでは、表示ユニット別の表示データをユニット表示データという。アドレスデータは、表示データ中でのユニット表示データのアドレス（位置）を示すデータである。アドレスデータが予め表示ユニット１０３に格納されていてもよい。データ取得部１２１は、アドレスデータに基づいてユニット表示データを取得して表示部１１１に渡す。波形矯正回路１２３は、上述したＬＶＤＳのために設けられており、波形やクロックの乱れを矯正する。アドレス変換回路１２５は、次の表示ユニット１０３のためにアドレスデータを変換する。この変換により、アドレスデータが、次の表示ユニット１０３が取得すべきユニット表示データの位置を特定する信号になる。電圧降下回路１２７は、ＬＶＤＳ対応の伝送回路に適した値になるように電圧を変換する。
【００１２】
上記構成により、表示データは、１つの表示ユニット１０３の伝送部１１３から次の表示ユニット１０３の伝送部１１３へと順次伝えられていく。各表示ユニット１０３では、伝送部１１３が表示データを取得して表示部１１１に渡し、表示部１１１が表示データに従って発光部１１５を発光させる。
【００１３】
このような大型映像表示装置において、１つの表示ユニット１０３の表示部１１１が故障したとする。この場合に、伝送部１１３は通常通りに表示データを伝送できる。したがって、後段に接続された残りの表示ユニット１０３は、表示を継続できる。また、故障した表示ユニット１０３を修理するときは、表示部１１１が伝送部１１３から分離され、交換される。このとき、他の表示ユニット１０３の電源をＯＦＦにすることなく交換作業を行う活性交換が可能である。こうして、従来の大型映像表示装置は、表示部１１１と伝送部１１３を着脱可能に構成することによって、表示ユニット１０３の故障の影響を小さく抑えている。
【特許文献１】特開２００２−２４４６３３号公報（第４〜７ページ、図２等）
【発明の開示】
【発明が解決しようとする課題】
【００１４】
しかしながら、従来の大型映像表示装置においては、表示ユニットの表示部の故障には好適に対処できても、伝送部の故障に対する信頼性が低いという問題がある。例えば、上述したように最近では高速化等のためにＬＶＤＳが適用されており、ＬＶＤＳでは波形矯正回路等が必要であり、従来よりも回路故障の可能性が高くなっている。そして、１つの表示ユニットで伝送部の故障が生じると、故障箇所より下流側に接続された複数の表示ユニットが異常動作状態になり、広い範囲が同時に表示不能になってしまう。このような事態を避けて、異常動作部位を極力少なくすることが望まれる。
【００１５】
本発明は、従来の問題を解決するためになされたもので、その目的は、表示ユニットの伝送部の故障が発生しても、異常動作部位を少なくでき、信頼性を向上できる大型映像表示装置を提供することにある。
【課題を解決するための手段】
【００１６】
本発明の大型映像表示装置は、複数の表示ユニットが配列されており、前記表示ユニット間のデータ伝送によって前記複数の表示ユニットの各々が表示データを取得して表示する大型映像表示部と、前記大型映像表示部に複数の系統で同一の表示データを供給するデータ供給手段とを備え、前記大型映像表示部の前記各表示ユニットが、前記表示データを取得して送出する処理を行う伝送部を備え、前記伝送部が、前記複数の系統の表示データを取得して、取得された前記複数の系統の表示データから正常な表示データを選択して表示し、選択した系統の表示データを下流側の表示ユニットに送出するように構成されている。
【００１７】
この構成により、各表示ユニットが、複数の系統の表示データを取得して、取得された複数の系統の表示データから正常な表示データを選択する。したがって、各表示ユニットは、前段の表示ユニットに伝送部の故障が生じ、一つの系統の表示データを正常に取得できなくても、他の系統の正常な表示データを取得することができる。これにより、伝送部の故障が発生したときの異常動作部位を少なくでき、信頼性を向上することができる。
【００１８】
また、本発明の大型映像表示装置において、前記大型映像表示部は、互いに異なる系統の表示データを伝送する２つの系統の表示ユニットをデータ伝送方向に沿って交互に有しており、前記各表示ユニットの前記伝送部は、前記データ伝送方向に沿って２ユニット前の前記表示ユニットから同系統の前記表示データを取得すると共に、前記表示ユニットを挟む前後の前記表示ユニットの間で伝送される異系統の前記表示データをも取得するように構成されている。
【００１９】
この構成により、１つの表示ユニットにて伝送部の故障が生じても他の表示ユニットが表示データを継続して取得できる。また、交互に配置された２つの系統の表示ユニットが互いに異なる表示データをそれぞれ伝送するので、各表示ユニットが２つの同じ構成の伝送部を備えなくても２重化伝送を行える。したがって、簡素な構成でもって、故障発生時の異常動作部位を少なくでき、信頼性を向上することができる。
【００２０】
また、本発明の大型映像表示装置において、前記各表示ユニットは、前記伝送部の処理回路を通ることなく前記表示ユニットを通り抜けるバイパス経路を備え、前記各表示ユニットの前記伝送部と前記バイパス経路が、前記データ伝送方向に沿って１ユニット前の前記表示ユニットの前記バイパス経路および前記伝送部とそれぞれ接続されており、前記各表示ユニットの伝送部が、前記１ユニット前の表示ユニットの前記バイパス経路を経由して前記２ユニット前の表示ユニットの前記伝送部と接続されている。この構成により、表示ユニットに設けたバイパス経路を利用するので、ケーブル配線が簡素になり、簡素な構成で信頼性を向上できる。
【００２１】
また、本発明の大型映像表示装置において、前記各表示ユニットは、前記伝送部に通じる伝送部入力端および伝送部出力端と、前記バイパス経路のバイパス入力端およびバイパス出力端とを備え、データ伝送経路に沿って前後の２つの前記表示ユニットはケーブルで接続され、前記ケーブルは、後側の前記表示ユニットの前記伝送部入力端および前記バイパス入力端を前側の前記表示ユニットの前記バイパス出力端および前記伝送部出力端と接続するように内部交差構造を有している。この構成により、上述のように、ケーブル内で伝送線を交差させたので、表示ユニットの構成を共通化することができ、構成を簡素にできる。
【００２２】
また、本発明の大型映像表示装置において、各表示ユニットは、発光素子が配列された発光部を含む表示部と、前記表示部に対して着脱可能な着脱可能部とを備え、前記伝送部が前記表示部に設けられ、前記バイパス経路が前記着脱可能部に設けられている。この構成により、故障した伝送部が着脱可能部から切り離されても、着脱可能部のバイパス経路を介した伝送が継続されて、他の表示ユニットが正常動作を継続できる。伝送部の故障時にも活性交換（運用状態での交換作業）が可能になり、さらに好適な大型映像表示装置を提供できる。
【００２３】
また、本発明の大型映像表示装置では、前記表示データが、複数の表示ユニットでそれぞれ表示されるべき複数のユニット表示データで構成され、前記表示データが、各表示ユニットが取得すべきユニット表示データの前記表示データ内での位置を特定するアドレスデータと共に送信され、前記伝送部は、前記伝送部から送出される前記アドレスデータを前記データ伝送方向に沿って１ユニット分だけ後側にずらす出力側アドレス変換回路と、前記２ユニット前の前記表示ユニットから取得された前記アドレスデータを前記データ伝送方向に沿って１ユニット分だけ後側にずらす入力側アドレス変換回路とを有する。この構成により、アドレス変換処理が適切に行われ、各表示ユニットが表示出力すべき必要な表示データを適切に取得できる。
【００２４】
また、本発明の大型映像表示装置では、前記各表示ユニットの前記伝送部が、前記データ伝送方向に沿って上流側にあって前記表示ユニットからの間隔が異なる複数の他の表示ユニットから前記表示データを取得する。この構成により、１つの表示ユニットにて伝送部の故障が生じても他の表示ユニットが表示データを継続して取得できる。また、各表示ユニットが２つの同じ構成の伝送部を備えなくても２重化伝送を行える。したがって、簡素な構成でもって、故障発生時の異常動作部位を少なくでき、信頼性を向上することができる。
【００２５】
また、本発明の大型映像表示装置では、前記表示ユニットが複数の各々独立した伝送部を備え、前記複数の伝送部の各々が、前記複数の系統の表示データを入力して、前記複数の系統の表示データから正常な表示データを選択するように構成されている。この構成では、複数の伝送部が各表示ユニットに備えられ、各伝送部が、複数の系統の表示データを入力して、複数の系統の表示データから正常な表示データを選択する。これにより、１つの表示ユニットで１系統の伝送部に故障が生じても、後段の表示ユニットが複数の系統の表示データの取得を継続できる。したがって、単なる多重化を越えた信頼性の向上が可能である。
【００２６】
また、本発明の大型映像表示装置では、前記データ伝送方向に沿って先頭に位置する前記表示ユニットが、異なる複数の制御系から前記複数の系統の表示データを入力する。この構成により、制御系も多重化されて、信頼性がさらに向上する。従来は、制御系が２重化されるときは、制御系と大型映像表示部の間に、２つの制御系を切り替える切替装置が必要であった。本発明では複数の制御系の表示データが複数の系統の表示データとして大型映像表示部に入力されるので、従来のような切替装置が不要になる。したがって、簡素な構成で信頼性を向上できる。
【００２７】
また、本発明の別の態様は、複数の表示ユニットが配列された大型映像表示部に適用され、前記表示ユニット間のデータ伝送によって前記複数の表示ユニットの各々が表示データを取得して、前記大型映像表示部が大型映像を表示する大型映像表示方法であって、前記大型映像表示部に複数の系統で同一の表示データを供給し、前記大型映像表示部の前記各表示ユニットが、前記複数の系統の表示データを取得して、取得された前記複数の系統の表示データから正常な表示データを選択して表示し、選択した系統の表示データを下流側の表示ユニットに送出する。この態様によっても上述した本発明の利点が得られる。
【００２８】
また、本発明の大型映像表示方法は、互いに異なる系統の表示データを伝送する２つの系統の表示ユニットをデータ伝送方向に沿って交互に配置し、前記各表示ユニットが、前記データ伝送方向に沿って２ユニット前の前記表示ユニットから同系統の前記表示データを取得すると共に、前記表示ユニットを挟む前後の前記表示ユニットの間で伝送される異系統の前記表示データをも取得する。この態様によっても上述した本発明の利点が得られる。
【００２９】
また、本発明の大型映像表示方法では、前記各表示ユニットが、前記データ伝送方向に沿って上流側にあって前記表示ユニットからの間隔が異なる複数の他の表示ユニットから前記表示データを取得する。この態様によっても上述した本発明の利点が得られる。
【００３０】
また、本発明の大型映像表示方法では、前記表示ユニットが、複数の伝送部の各々にて、前記複数の系統の表示データを入力して、前記複数の系統の表示データから正常な表示データを選択する。この態様によっても上述した本発明の利点が得られる。
【発明の効果】
【００３１】
本発明は、上述のように各表示ユニットが複数の系統の表示データを取得して正常な表示データを選択することにより、表示ユニットで伝送部の故障が発生したときの異常動作部位を少なくでき、信頼性を向上できるという効果を有する大型映像表示装置を提供できる。
【発明を実施するための最良の形態】
【００３２】
以下、本発明の実施の形態に係る大型映像表示装置について、図面を用いて説明する。
【００３３】
本発明の第１の実施の形態に係る大型映像表示装置を図１〜図５に示す。これらの図のうちで、図２は大型映像表示装置の全体構成を示している。まず、図２を参照して全体構成を説明する。
【００３４】
図２において、大型映像表示装置１は、大型映像表示部（大型画面）２、第１制御系３および第２制御系４を備えている。
【００３５】
大型映像表示部２は、マトリクス状に縦方向および横方向に配列された多数の表示ユニット５で構成されている。大型映像表示部２では、６０〜９０個の表示ユニット５が１つの表示ユニットグループを作っており、これら１グループの表示ユニット５がケーブルでカスケード状に接続されている。
【００３６】
第１制御系３および第２制御系４は、本発明のデータ供給手段に相当し、２つの系統の同一の表示データを大型映像表示部２に供給する。本実施の形態では、これら２つの系統を第１系統および第２系統と呼ぶ。第１制御系３および第２制御系４は、表示ユニットグループの先頭の表示ユニット５へ接続されており、２系統の表示データを先頭の表示ユニット５へ供給する。これら２系統の表示データがグループ内で順次伝送される。
【００３７】
第１制御系３は、第１制御装置６および第１信号分配器７で構成される。第１制御装置６は、入力された映像信号を処理して大型映像表示部２のための表示データに変換し、表示データを第１信号分配器７に出力する。第１信号分配器７は、第１制御装置６から入力された表示データを大型映像表示部２の表示ユニット５に分配する。
【００３８】
一方、第２制御系４は、第２制御装置８および第２信号分配器９で構成されている。これら第２制御装置８および第２信号分配器９は、第１制御系３の第１制御装置６および第２信号分配器７と同様の構成であり、同様に機能する。
【００３９】
なお、大型映像表示部２の多数の表示ユニット５は複数の表示ユニットグループに分かれていてよい。また、図２では１組の信号分配器が示されているが、大型映像表示部２のサイズに応じて複数組の信号分配器が設けられていてよい。また、信号分配器を設けず、表示部を直接制御装置に接続してもよい。
【００４０】
次に、図３は、第１制御系３の第１制御装置６および第１信号分配器７を示している。図３において、第１制御装置６は、映像信号をデジタル信号に変換するアナログ／デジタル（以下、Ａ／Ｄという）変換部１１と、デジタル信号に変換された映像信号の映像調整を行う映像調整部１３と、テスト信号を発生させるテスト信号発生部１５と、制御情報の生成および表示制御を行う制御情報制御部１７と、表示データに制御信号を付加して多重化を行うとともに、制御信号を多重化した表示データを出力する信号多重／データ伝送部１９と、電源異常、冷却ファン異常などの状態データを監視する監視部２１と、各部とバスで接続されて各部の制御を行う中央演算処理装置（以下、ＣＰＵという）２３とを備えている。
【００４１】
Ａ／Ｄ変換部１１には映像信号が入力される。入力された映像信号はデジタル信号に変換されて映像調整部１３に出力される。映像調整部１３は、入力された映像信号に対して映像調整処理を行う。この映像調整は、大型映像表示部２に映像を表示するためのドットサイズの変更および映像信号の輪郭ボケの補正などである。テスト信号発生部１５は、テストパターンを発生させ、テスト信号を信号多重／データ伝送部１５に出力する。制御情報制御部１７は、ＣＰＵ２３の制御に基づいて大型映像表示部２に表示するディスプレイ表示を制御する。制御情報制御部１７は、制御のための情報を信号多重／データ伝送部１９に出力する。
【００４２】
信号多重／データ伝送部１９は、大型映像表示部２に表示するデジタル映像を生成する。信号多重／データ伝送部１９は、生成されたデジタル映像信号の走査変換を行い、変換後のデータを第１信号分配器７に出力する。監視部２１には、大型映像表示部２から画面の状態データが第１信号分配器７を介して入力される。監視部２１は、電源異常、表示ユニット５に付属する冷却ファンの異常などを監視する。
【００４３】
第１信号分配器７は、信号多重／データ伝送部１９から出力された表示データを大型映像表示部２の表示ユニットグループ毎のデータに変換して、大型映像表示部２に出力する。
【００４４】
以上に、第１制御系３の第１制御装置６および第１信号分配器７について説明した。図示されないが、第２制御系４の第２制御装置８および第２信号分配器９も同様の構成を有しており、同じ表示データを生成し供給する。
【００４５】
次に、図１は、大型映像表示部２の一部を概略的に示している。図１は、データ配列方向に沿って先頭から５つの表示ユニット５を示している。各表示ユニット５は伝送部３１を備えており、伝送部３１は表示データを取得して送出する処理回路を含む構成である。図１では、説明を簡単にするために、伝送部３１以外の構成は省略されている。
【００４６】
図１に示されるように、本実施の形態では、第１系統と第２系統の表示ユニット５が交互に配置されている。概略的には第１系統と第２系統の表示ユニット５は同じ構成を有しており、伝送部３１の構成も同じである。ただし、第１系統の表示ユニット５の伝送部３１が第１系統の表示データを伝送するのに対して、第２系統の表示ユニット５の伝送部３１は第２系統の表示データを伝送する。
【００４７】
図示のように、第１系統の表示ユニット５の伝送部３１は、データ伝送方向に沿って２ユニット前の表示ユニット５から第１系統の表示データを取得する。２ユニット前の表示データは、要するに、１つ前の第１系統の表示ユニット５である。さらに、第１系統の表示ユニット５の伝送部３１は、前後の表示ユニット５の間で伝送される第２系統の表示データをも取得するように構成されている。
【００４８】
具体的には、例えば、図１において３番目の表示ユニット５は第１系統に属する。そして、３番目の表示ユニット５の伝送部３１が、１番目の表示ユニット５から第１系統の表示データを取得し、かつ、２番目と４番目の表示ユニット５の間で伝送される第２系統の表示データを取得する。
【００４９】
伝送部３１は、これら２系統の表示データから正常な表示データを選択する。選択された表示データが表示ユニット５にて表示される。
【００５０】
第２系統の表示ユニット５についても同様である。第２系統の表示ユニット５の伝送部３１は、データ伝送方向に沿って２ユニット前の表示ユニット５から第２系統の表示データを取得する。さらに、第２系統の表示ユニット５の伝送部３１は、前後の表示ユニット５の間で伝送される第１系統の表示データをも取得するように構成されている。そして、伝送部３１は、これら２系統の表示データから正常な表示データを選択する。選択された表示データが表示ユニット５にて表示される。
【００５１】
なお、図１において、１番目の表示ユニット５には、第１系統と第２系統の表示データが第１制御系３および第２制御系４から入力される。そして、１番目の表示ユニット５の伝送部３１は、第１系統と第２系統の表示データを取得する。また、２番目の表示ユニット５の伝送部３１は、１番目の表示ユニット５を介して第２系統の表示データを取得すると共に、第１系統の表示データも１番目の表示ユニット５から取得する。また、図１は、先頭の５つの表示ユニット５を示しているが、後続する一連の表示ユニット５も同様に構成されている。
【００５２】
図４は、上記のようなデータ伝送に適合するように構成された表示ユニット５の構成を示している。図４では、３つの表示ユニット５ａ〜５ｃが示されている。３つの表示ユニット５ａ〜５ｃにおいて、表示ユニット５ａ、５ｃは第１系統の表示データを伝送し、表示ユニット５ｂは第２系統の表示データを伝送する。表示ユニット５ａ〜５ｃは、図示のように構成としては同様である。以下の説明において、複数の表示ユニット５を区別するときは、符号５ａ、５ｂ、５ｃを用いる。また、複数の表示ユニット５ａ、５ｂ、５ｃを区別する必要がないときは、単に表示ユニット５と記載する。
【００５３】
図４に示すように、表示ユニット５は、表示部４１と、表示部４１に対して着脱可能な着脱可能部５１とで構成されている。
【００５４】
表示部４１は、発光部４２、データ表示制御部４３、伝送部４４および表示装置電源４５を備えている。発光部４２は、多数の発光素子が配列されたパネルであり、発光素子はＬＥＤである。データ表示制御部４３は、伝送部４４から受け取った表示データに従って発光部４２を制御する。伝送部４４は図４の伝送部３１に相当し、データ伝送経路に沿って上流側の表示ユニット５から表示データを取得し、取得した表示データを処理し、処理後の表示データを送出する。伝送部４４とデータ表示制御部４３とは一つの回路部品によって構成されてよい。表示装置電源４５は表示部４１の各部に電力を供給する。
【００５５】
着脱可能部５１は、伝送部４４に対する表示データの入出力のための伝送路配線を提供する構成であり、以下のような配線を実現する基板で構成されている。着脱可能部５１はバイパス経路５２を備える。バイパス経路５２は、伝送部４４の回路を通らずに単に着脱可能部５１を通り抜ける構成であり、バイパス入力端５３とバイパス出力端５４を有している。
【００５６】
また、着脱可能部５１は、伝送部入力端５５と伝送部出力端５６を有している。伝送部入力端５６および伝送部出力端５７は、着脱可能部５１内の配線を通って、表示部４１の伝送部４４と接続される。また、バイパス経路５２も途中で分岐して伝送部４４と接続されている。
【００５７】
上記の端子のうち、バイパス入力端５３と伝送部入力端５５とは、着脱可能部５１の入力側のコネクタを構成している。また、バイパス出力端５４と伝送部出力端５６とは、出力側のコネクタを構成している。
【００５８】
表示ユニット５の間はケーブル５７で接続されている。ケーブル５７は信号ケーブルである。ケーブル５７は、表示ユニット５の入力側のコネクタを、１ユニット前の表示ユニット５の出力側のコネクタと接続する。より詳細には、ケーブル５７は、表示ユニット５の着脱可能部５１同士を接続している。ケーブル５７は内部で交差しており、表示ユニット５のバイパス入力端５３を、１ユニット前の表示ユニット５の伝送部出力端５６と接続し、かつ、伝送部入力端５５を、１ユニット前の表示ユニット５のバイパス出力端５４と接続する。ケーブル５７の構成は後により詳細に説明する。
【００５９】
上記の構成により、各表示ユニット５の伝送部４４は、１ユニット前の表示ユニット５の伝送部４４に接続されると共に、１ユニット前の表示ユニット５のバイパス経路５２を介して２ユニット前の表示ユニット５の伝送部４４に接続される。図４の例では、表示ユニット５ｃの伝送部４４が、バイパス経路５２およびケーブル５７を経て、１ユニット前の表示ユニット５ｂの伝送部４４に接続される。また、表示ユニット５ｃの伝送部４４が、ケーブル５７、１つ前の表示ユニット５ｂのバイパス経路５２、さらにその前のケーブル５７を経て、２つ前の表示ユニット５ａの伝送部４４に接続されている。
【００６０】
図５は、１つの表示ユニット５の構成をより詳細に示しており、特に、伝送部４４の構成の詳細を示している。伝送部４４は、入力側アドレス変換回路６１、第１データ取得部６２、第２データ取得部６３、データ選択回路６４、波形矯正回路６５および出力側アドレス変換回路６６を備えている。
【００６１】
図５において、第１データ取得部６２は、その前段の入力側アドレス変換部６１を介して、着脱可能部５１の伝送部入力端５５に接続されている。伝送部入力端５５は、図４に示したように、ケーブル５７、１つ前の表示ユニット５のバイパス経路５２、その前のケーブル５７を介して、２つ前の表示ユニット５の伝送部４４と接続されている。これにより、第１データ取得部６２は、２つ前の表示ユニット５から表示データを取得する。
【００６２】
また、第２データ取得部６３は、着脱可能部５１のバイパス経路５２に接続されている。バイパス経路５２は、図４に示したように、ケーブル５７を介して、１つ前の表示ユニット５の伝送部４４と接続されている。これにより、第２データ取得部６３は、１つ前の表示ユニット５から表示データを取得する。
【００６３】
データ選択回路６４は、第１データ取得部６２および第２データ取得部６３により取得された２つの表示データから正常な表示データを取得する。データ選択回路６４は、２つの表示データの各々が正常か否かを判定するように構成されている。本実施の形態では、判定処理が、表示データに設定された規定データの領域を用いて行われる。この規定データの領域では、冗長データが送られる。冗長データは典型的には冗長ビットデータである。この冗長ビットを用いて、誤り検出が行われる。そして、誤りが無ければ、表示データが正常であると判定される。データ選択回路６４は、正常な表示データを選択して、データ表示制御部４３に供給する。これにより、正常な表示データが発光部５１から出力される。
【００６４】
大型映像表示装置１に故障が発生していなければ、第１データ取得部６２と第２データ取得部６３の両方が、正常な表示データを取得する。このとき、データ選択回路６４は、第１データ取得部６２により２ユニット前の表示ユニット５から取得された表示データを選択するように構成されている。
【００６５】
波形矯正回路６５は、ＬＶＤＳのために設けられており、波形やクロックの乱れを矯正する。矯正後の表示データは、出力側アドレス変換回路６６を経て、伝送部４４から出力され、そして、着脱可能部５１の伝送部出力端５６から出力される。
【００６６】
次に、入力側アドレス変換回路６１および出力側アドレス変換回路６６について説明する。入力側アドレス変換回路６１および出力側アドレス変換回路６６は、表示データと共に伝送されるアドレスデータを変換する構成である。ここで、入力側アドレス変換回路６１および出力側アドレス変換回路６６の機能の詳細を説明する前に、本実施の形態における表示データとアドレスデータの詳細を説明する。
【００６７】
図６は、表示データおよびアドレスデータを示している。図６に示されるように、伝送される表示データは、表示ユニットグループの複数の表示ユニット５でそれぞれ表示されるべき複数の表示データの集まりである。ここでは、表示ユニット別の表示データをユニット表示データという。
【００６８】
また、アドレスデータは、各表示ユニット５が取得すべきユニット表示データのアドレス（位置）を特定するデータである。アドレスデータも、複数の表示ユニット５にそれぞれ対応する複数のアドレスデータの集まりである。ここでは、各表示ユニットのアドレスデータをユニットアドレスデータという。
【００６９】
各表示ユニット５において、第１データ取得部６２と第２データ取得部６３の各々は、表示データと共に供給されたアドレスデータを参照し、アドレスデータ中で制御フラグがＯＮ状態にあるユニットアドレスデータを取得し、さらに、表示データから、ユニットアドレスデータにより特定されるユニット表示データを取得するように構成されている。
【００７０】
上記のデータ構成とデータ取得処理の説明を踏まえ、入力側アドレス変換回路６１および出力側アドレス変換回路６６について説明する。
【００７１】
図５に示されるように、入力側アドレス変換回路６１は伝送部４４の入力側に配置されており、表示データは入力側アドレス変換回路６１を経て第１データ取得部６２に供給される。また、出力側アドレス変換回路６６は伝送部４４の出力側に配置されており、表示データは出力側アドレス変換回路６６を経て伝送部４４から送出される。入力側アドレス変換回路６１および出力側アドレス変換回路６６の各々は、制御フラグＯＮのアドレスを１ユニット分だけ後側（下流側）にずらす処理をアドレスデータに対して行う。これにより、下記の例に示されるように、第１データ取得部６２と第２データ取得部６３とが、同じアドレスの適切な表示データを取得できる。
【００７２】
図７は、入力側アドレス変換回路６１と出力側アドレス変換回路６６の機能を示している。ここでは、前提として、表示ユニット５ａ、５ｂ、５ｃのアドレスが、各々、アドレス１、２、３である。表示ユニット５ａ、５ｂ、５ｃはこの順番でデータ伝送方向に並んでいる。図７は、表示ユニット５ａ、５ｂがアドレス１、２の表示データを取得した後に表示ユニット５ｃにアドレス３の表示データを取得させるためのアドレス変換処理を示している。
【００７３】
図７に示すように、表示ユニット５ａでは、出力側アドレス変換回路６６が、アドレスデータの制御フラグＯＮの位置を、アドレス１からアドレス２に変換する。このアドレスデータが、表示データと共に、表示ユニット５ｂのバイパスを経由して、表示ユニット５ｃに取得される。表示ユニット５ｃでは、入力側アドレス変換回路６１が制御フラグＯＮの位置を、アドレス２からアドレス３に変換する。このようにして、表示ユニット５ａから表示ユニット５ｃへのデータ伝送では、表示ユニット５ａの出力側アドレス変換回路６６と表示ユニット５ｃの入力側アドレス変換回路６１の２箇所でアドレスがずらされる。このアドレスデータが表示データと共に表示ユニット５ｃの第１データ取得部６２に取得される。したがって、第１データ取得部６２は、アドレス３の表示データを取得できる。
【００７４】
また、図７に示すように、表示ユニット５ｂでは、出力側アドレス変換回路６６が、アドレスデータの制御フラグＯＮの位置を、アドレス２からアドレス３に変換する。このアドレスデータが、表示データと共に、表示ユニット５ｃの第２データ取得部６３に取得される。したがって、第２データ取得部６３は、アドレス３の表示データを取得できる。
【００７５】
このようにして、入力側アドレス変換回路６１と出力側アドレス変換回路６６がユニット１つ分だけアドレスをずらす処理を行うことにより、表示ユニット５ｃが２つの系統から同じアドレスの表示データを適切に取得することができる。
【００７６】
次に、図８および図９を参照して、表示ユニット５間を接続するケーブル５７の適当な構成例について説明する。
【００７７】
図８は、ケーブル５７の両端にあるコネクタのピン配置を示している。図８において、信号出力コネクタピン配置は、表示ユニット５の着脱可能部５１における出力端コネクタと接続されるコネクタのピン配置である。また、信号入力コネクタピン配置は、着脱可能部５１における入力端コネクタと接続されるコネクタのピン配置である。図９は、図８のコネクタ間を結ぶケーブル内の伝送線を示している。
【００７８】
図示のように、ケーブル５７は、１０ピンタイプである。１０本のピンのうち、８本のピン１〜８が表示データの伝送に使用され、２本のピン９、１０が返信データの伝送に使用される。前者の８本のピン１〜８は、２系統の表示データの伝送に使用される。１系統の伝送に４本のピンが必要であり、したがって、８本のピンで２系統の表示データを伝送できる。１つの系統のための４本のピンのうちで、２本はクロック信号に割り当てられる。
【００７９】
上記の８本のピン１〜８に関して、図８および図９に示されるように、出力側のピン１〜４が入力側のピン５〜８とケーブル内部で接続されている。また、出力側のピン５〜８が入力側のピン１〜４と接続されている。
【００８０】
したがって、ケーブル５７は、２系統の線がケーブル内部で交差する構造を有しており、表示データ用のピン配置が出力側と入力側で逆になっている。このようなケーブル５７により表示ユニット５間が接続されるので、前出の図４に示されるように、一つの表示ユニット５の伝送部入力端５５およびバイパス入力端５３が１ユニット前の表示ユニット５のバイパス出力端５４および伝送部出力端５７とそれぞれ接続される。
【００８１】
ここで、仮にケーブル５７が上記のような内部交差構造を有していないとする。その場合、表示ユニット５側が交互に異なる構造を有する必要がある。より詳細には、着脱可能部５１が交互に異なる配線構造を有する必要がある。これに対して、本実施の形態では、ケーブル５７が内部交差構造を有するので、表示ユニット５の構成を同じにでき、システム構成を簡素にでき、この点で有利である。
【００８２】
また、上記のようにケーブル５７が内部交差構造を有するので、単純に同じケーブル５７で次から次へと表示ユニット５を接続すれば、図４に示したような適当な配線が形成される。したがって、大型映像表示装置１の設置作業も簡単になり、この点でも有利である。
【００８３】
以上、本実施の形態に係る大型映像表示装置１の構成について説明した。次に、大型映像表示装置１の動作を説明する。まず、ユニット故障が生じていないときの動作を説明する。大型映像表示装置１に映像を表示するときは、表示すべき映像信号が図２の第１制御系３および第２制御系４に入力される。
【００８４】
第１制御系３では、第１制御装置６が入力された映像信号を処理し、大型映像表示部３に適合する表示データに変換する。生成された表示データは、第１信号分配器７を介して大型映像表示部２に供給される。同様に、第２制御系４では、第２制御装置８が映像信号を処理して表示データに変換し、表示データが第２信号分配器９を介して大型映像表示部２に供給される。第１制御系３が第１系統の表示データを供給し、第２制御系４が第２系統の表示データを供給する。両系統の表示データは同一である。
【００８５】
大型映像表示部２では、図１に示したように、第１系統、第２系統・・・の順で、２つの系統の表示ユニット５が交互に配置されている。第１系統の表示データは、まず、先頭に位置する第１系統の表示ユニット５に入力される。そして、第１系統の表示データは、３番目の表示ユニット５、５番目の表示ユニット５というようように、１つおきに配置された第１系統の表示ユニット５の間で伝送される。
【００８６】
また、第１系統の表示データは、第２系統の表示ユニット５へも取り込まれる。第２系統の表示ユニット５は、前後の第１系統の表示ユニット５間で伝送される第１系統の表示データを取得する。例えば、２番目の表示ユニット５が、１番目と３番目の表示ユニット５の間で伝送される第１系統の表示データを取得する。
【００８７】
一方、第２系統の表示データは、２番目に位置する第２系統の表示ユニット５に入力される。２番目の表示ユニット５は、第２系統の表示ユニット５の中では先頭である。そして、第２系統の表示データは、４番目の表示ユニット５、６番目の表示ユニット５というように、１つおきに配置された第２系統の表示ユニット５の間で伝送される。
【００８８】
また、第２系統の表示データは、第１系統の表示ユニット５へも取り込まれる。第１系統の表示ユニット５は、前後の第２系統の表示ユニット５間で伝送される第２系統の表示データを取得する。例えば、３番目の表示ユニット５が、２番目と４番目の表示ユニット５の間で伝送される第２系統の表示データを取得する。また、１番目の表示ユニット５も第２制御系４から第２系統の表示データを取得する。
【００８９】
このようにして、全部の表示ユニット５が、第１系統と第２系統の両方の表示データを取得する。各表示ユニット５では、伝送部３１が、これら２系統の表示データの一方を選択する。そして、選択された表示データが表示ユニット５にて表示される。各表示ユニット５が表示データを表示することにより、大型映像表示部２には大型映像が表示される。
【００９０】
上記の動作を、図４および図５に基づいてより詳細に説明する。図４において、表示ユニット５ａは第１系統に属する。第１系統の表示データは、表示ユニット５ａの伝送部入力端５４に入力されて、図５に示されるように入力側アドレス変換回路６１を経て第１データ取得部６２に取得される。また、第２系統の表示データは、表示ユニット５ａのバイパス入力端５２に入力されて、第２データ取得部６３に取得される。第１データ取得部６２および第２データ取得部６３の各々は、表示データと共に伝送されるアドレスデータも取得する。アドレスデータは、前述のように処理されて、表示ユニット５で発光部５２に出力されるべき表示データを特定するために使用される。
【００９１】
表示ユニット５ａでは、データ選択回路６４により、第１系統および第２系統の表示データから正常な表示データが選択される。正常時は両系統の表示データが共に正常であり、この場合は、データ選択回路６４は、第１データ取得部６３によって取得された第１系統の表示データを選択する。選択された表示データは、データ表示制御部４３に供給されて、発光部４２から出力される。また、選択された表示データは、波形矯正回路６５および出力側アドレス変換回路６６を経て、表示ユニット５ａの伝送部出力端５６から出力される。
【００９２】
さらに、第１系統の表示データは、ケーブル５７を通り、２番目の表示ユニット５ｂのバイパス入力端５３に入力される。そして、第１系統の表示データは、バイパス経路５２を通り抜けると共に、表示ユニット５ｂで伝送部４４の第２データ取得部６３に取得される。
【００９３】
また、第２系統の表示データは、表示ユニット５ａのバイパス経路５２を通り抜けて、バイパス出力端５４から出力され、ケーブル５７を通り、表示ユニット５ｂの伝送部入力端５５に入力され、入力側アドレス変換回路６１を経て第１データ取得部６２に取得される。表示ユニット５ｂのデータ選択回路６４は、両系統の表示データから正常な表示データを選択する。正常時は両系統の表示データが共に正常であり、この場合は、データ選択回路６４は、第１データ取得部６３によって取得された第２系統の表示データを選択する。選択された表示データは、データ表示制御部４３に供給されて、発光部４２から出力される。また、選択された表示データは、波形矯正回路６５および出力側アドレス変換回路６６を経て、表示ユニット５ｂの伝送部出力端５６から出力される。
【００９４】
上記の動作が、表示ユニット５ｃ以降のすべての表示ユニット５で行われる。これにより、上述したように、各表示ユニット５が、２系統の表示データを取得して、一方の表示データを選択および出力する。
【００９５】
次に、１つの表示ユニット５の伝送部４４が故障したときの動作を説明する。伝送部４４の故障としては、例えば、図５の波形矯正回路６５の故障が挙げられる。伝送部４４が表示データを送出不能になる。
【００９６】
ここでは、例として、図１の２番目の表示ユニット５が故障したとする。このとき、３番目の表示ユニット５は、２番目の表示ユニット５から第２系統の表示データを取得できなくなる。しかし、３番目の表示ユニット５は、１番目の表示ユニット５から第１系統の表示データを取得できる。そして、３番目の表示ユニット５は、第１系統の表示データを正常な表示データとして選択する。選択された表示データが、発光部５２から出力されると共に、３番目の表示ユニット５から送出される。したがって、３番目の表示ユニット５は、その機能を維持できる。
【００９７】
また、２番目の表示ユニット５が故障すると、４番目の表示ユニット５は２番目の表示ユニット５から第２系統の表示データを取得できなくなる。しかし、４番目の表示ユニット５は、３番目の表示ユニット５から第１系統の表示データを取得できる。そして、４番目の表示ユニット５は、第１系統の表示データを正常な表示データとして選択する。選択された表示データが、発光部５２から出力される。また、４番目の表示ユニット５は、選択した第１系統の表示データを、第２系統の表示データとして後段の表示ユニット５へ向けて送出する。こうして、４番目の表示ユニット５も機能を維持できる。
【００９８】
このようにして、２番目の表示ユニット５が故障しても、３番目と４番目の表示ユニット５は正常な表示データを取得して正常に動作できる。５番目以降の表示ユニット５は、故障発生前と同様に動作できる。したがって、異常動作部位を故障した表示ユニット５に限定することができ、表示不能領域を小さくできる。
【００９９】
また、故障部位の交換作業は以下のようにして行われる。図５において、表示ユニット５ｂの伝送部４４が故障したとする。このとき、表示ユニット５ｂの表示部４１が交換される。表示部４１が交換されれば、表示部４１に一体化された伝送部４４も交換される。この交換作業において、他の表示ユニット５へのデータ伝送は、表示ユニット５ｂの着脱可能部５１のバイパス経路５２を介して継続される。したがって、活性交換、すなわち運用状態での交換が可能である。
【０１００】
以上に例として、２番目の表示ユニット５、すなわち第２系統の表示ユニット５にて伝送部３１が故障したときの動作を説明した。第１系統の表示ユニット５の伝送部３１が故障したときの動作も、第１系統と第２系統が入れ替わる点を除いて同様である。
【０１０１】
以上に本発明の第１の実施の形態に係る大型映像表示装置１について説明した。本実施の形態によれば、複数の系統で同一の表示データが大型映像表示部２に供給される。大型映像表示部２では、各表示ユニット５の伝送部４４が、複数の系統の表示データを取得して、取得された複数の系統の表示データから正常な表示データを選択するように構成されている。したがって、各表示ユニット５は、前段の表示ユニットに伝送部４４の故障が生じ、一つの系統の表示データを正常に取得できなくても、他の系統の正常な表示データを取得することができる。これにより、伝送部４４の故障が発生したときの異常動作部位を少なくでき、信頼性を向上することができる。
【０１０２】
また、本実施の形態によれば、大型映像表示部２は、互いに異なる系統の表示データを伝送する２つの系統の表示ユニット５をデータ伝送方向に沿って交互に有している。各表示ユニット５の伝送部４４は、データ伝送方向に沿って２ユニット前の表示ユニット５から同系統の表示データを取得すると共に、前後の表示ユニット５の間で伝送される異系統の表示データをも取得する。これにより、１つの表示ユニット５にて伝送部４４の故障が生じても他の表示ユニット５が表示データを継続して取得できる。また、交互に配置された２つの系統の表示ユニット５が互いに異なる表示データをそれぞれ伝送するので、各表示ユニット５が２つの同じ構成の伝送回路を備えなくても２重化伝送を行える。したがって、簡素な構成でもって、故障発生時の異常動作部位を少なくでき、信頼性を向上することができる。
【０１０３】
また、本実施の形態によれば、各表示ユニット５は、伝送部４４の処理回路を通ることなく表示ユニット５を通り抜けるバイパス経路５２を備える。そして、各表示ユニット５の伝送部４４とバイパス経路５２が、データ伝送方向に沿って１ユニット前の表示ユニット５のバイパス経路５２および伝送部４とそれぞれ接続される。これにより、各表示ユニット５の伝送部４４が、１ユニット前の表示ユニット５のバイパス経路５２を経由して２ユニット前の表示ユニット５の伝送部４４と接続される。このようにして、表示ユニット５に設けたバイパス経路５２を利用することにより、ケーブル配線が簡素になり、簡素な構成で信頼性を向上できる。
【０１０４】
また、本実施の形態によれば、各表示ユニット５は、伝送部４４に通じる伝送部入力端５５および伝送部出力端５６と、バイパス経路５２のバイパス入力端５３およびバイパス出力端５４とを備える。データ伝送経路に沿って前後の２つの表示ユニット５はケーブル５７で接続される。ケーブル５７は、後側の表示ユニット５の伝送部入力端５５およびバイパス入力端５３を前側の表示ユニット５のバイパス出力端５４および伝送部出力端５６と接続するように内部交差構造を有している。このような構成により、上述のように、ケーブル内で伝送線を交差させたので、表示ユニット５の構成を共通化することができ、構成を簡素にできる。
【０１０５】
また、本実施の形態によれば、各表示ユニット５は、発光素子が配列された発光部４２を含む表示部４１と、表示部４１に対して着脱可能な着脱可能部５１とを備える。伝送部４４が表示部４１に設けられ、バイパス経路５２が着脱可能部５１に設けられている。このような構成により、故障した伝送部４４が着脱可能部５１から切り離されても、着脱可能部５１のバイパス経路５２を介した伝送が継続されて、他の表示ユニット５が正常動作を継続できる。伝送部４４の故障時にも活性交換が可能になり、さらに好適な大型映像表示装置１を提供できる。
【０１０６】
また、上述のように表示部４１と着脱可能部５１で表示ユニット５を構成したことにより、ＬＶＤＳ等のための伝送部４４への電源も表示部４１の表示装置電源４５から供給される。従来のようなＬＶＤＳのための電圧降下回路を着脱可能部５１側に設ける必要がなく、構成も簡素になる。
【０１０７】
さらにまた、着脱可能部５１は、上述の実施の形態にも示されたようにバイパス経路やコネクタ等の構成を有しており、故障が生じにくい。そして、このような故障しにくい着脱可能部５１によって表示データの伝送機能が確保されるので、信頼性を好適に向上できる。
【０１０８】
また、本実施の形態によれば、表示データが、複数の表示ユニット５でそれぞれ表示されるべき複数のユニット表示データで構成される。また、表示データが、各表示ユニット５が取得すべきユニット表示データの表示データ内での位置を特定するアドレスデータと共に送信される。伝送部４４は、伝送部４４から送出されるアドレスデータをデータ伝送方向に沿って１ユニット分だけ後側にずらす出力側アドレス変換回路６６と、２ユニット前の表示ユニット５から取得されたアドレスデータをデータ伝送方向に沿って１ユニット分だけ後側にずらす入力側アドレス変換回路６１とを有する。このような構成により、アドレス変換処理が適切に行われ、各表示ユニット５が、表示出力すべき必要な表示データを適切に取得できる。
【０１０９】
また、本実施の形態によれば、データ伝送方向に沿って先頭に位置する表示ユニット５が、異なる複数の制御系から複数の系統の表示データを入力する。このような構成により、制御系も多重化されて、信頼性がさらに向上する。従来は、制御系が２重化されるときは、制御系と大型映像表示部の間に、２つの制御系を切り替える切替装置が必要であった。本発明では複数の制御系の表示データが複数の系統の表示データとして大型映像表示部に入力されるので、従来のような切替装置が不要になる。したがって、簡素な構成で信頼性を向上できる。
【０１１０】
また、別の観点では、上記の実施の形態に係る大型映像表示装置１は下記のように表現できる。すなわち、本実施の形態の大型映像表示装置１においては、各表示ユニット５の伝送部４４が、データ伝送方向に沿って上流側にあって表示ユニット５からの間隔が異なる複数の他の表示ユニット５から表示データを取得するように構成されている。このような構成により、１つの表示ユニットにて伝送部４４の故障が生じても他の表示ユニット５が表示データを継続して取得できる。また、各表示ユニット５が２つの同じ構成の伝送部を備えなくても２重化伝送を行える。したがって、簡素な構成でもって、故障発生時の異常動作部位を少なくでき、信頼性を向上することができる。
【０１１１】
なお、上述の別の観点で考えたとき、本実施の形態には各種の変形が可能である。上述の実施の形態では各表示ユニットが１ユニット前と２ユニット前の表示ユニットから表示データを取得するように構成されたが、変形例では、各表示ユニットが、１ユニット前の表示ユニットと３ユニット前の表示ユニットから表示データを取得するように構成されてよい。この場合、各表示ユニットは、３ユニット前の表示ユニットとは、途中にある２つの表示ユニットのバイパス経路を介して接続されてよい。
【０１１２】
また例えば、各表示ユニットが、２ユニット前の表示ユニットと３ユニット前の表示ユニットから表示データを取得するように構成されてよい。この場合、２系統の表示データとも、途中の表示ユニットのバイパス経路を介して取得されてよい。
【０１１３】
また、本発明の範囲で、各表示ユニットが、３つ以上の表示ユニット、例えば、１ユニット前、２ユニット前および３ユニット前の表示ユニットから表示データを取得してもよい。
【０１１４】
このように、本発明では、各表示ユニット５が、間隔が異なる複数の表示ユニット５から表示データを取得するように構成されてよい。この条件が満たされる範囲で、上記に例示されるように各種の変形が可能である。
【０１１５】
そして、変形例の構成においても、上述の実施の形態における構成と同様に、各表示ユニット５がバイパス経路を備え、バイパス経路を使って適切な配線が好適に実現され、これにより構成を簡素化できる。
【０１１６】
次に、本発明の第２の実施の形態に係る大型映像表示装置について説明する。第２の実施の形態に係る大型映像表示装置の全体構成は、第１の実施の形態と同様である。第２の実施の形態では、表示ユニット５の構成が第１の実施の形態と異なる。以下の説明では、第１の実施の形態と共通する事項の説明を省略し、第１の実施の形態との相違点を主として説明する。
【０１１７】
図１０は、第２の実施の形態における表示ユニット７１を示している。表示ユニット７１は、表示部７２と、表示部７２に対して着脱可能な伝送部７３で構成されている。
【０１１８】
表示部７２は、発光部７４、データ表示制御部７５および表示装置電源７６を備えている。発光部７４は、多数の発光素子が配列されたパネルであり、発光素子はＬＥＤである。データ表示制御部７５は、伝送部７３から受け取った表示データに従って発光部７４を制御する。
【０１１９】
伝送部７３は、第１伝送部８１、第２伝送部８２という２つの伝送回路で構成されている。さらに、伝送部７３は、これら構成に電源を供給するためにＬＶＤＳに対応した電圧降下回路８３を備えている。
【０１２０】
表示データの入出力のための構成としては、表示ユニット７１は、第１入力端８４、第２入力端８５、第１出力端８６および第２出力端８７を伝送部７３に有している。各表示ユニット７１の第１入力端８４および第２入力端８５が、ケーブル８８により、１ユニット前の表示ユニット７１の第１出力端８６および第２出力端８７と接続されている。ケーブル８８は、電圧降下回路８３のための接続線でもある。また、先頭の表示ユニット７１では、第１入力端８４および第２入力端８５が、それぞれ、第１制御系３および第２制御系４に接続されて、第１系統の表示データおよび第２系統の表示データを入力する。
【０１２１】
次に、伝送部７３における第１伝送部８１および第２伝送部８２について説明する。概略的には、両方の伝送部８１、８２の各々が、第１系統と第２系統の両方の表示データを入力して、両系統の表示データから正常な表示データを選択するように構成されている。
【０１２２】
図１０において、第１伝送部８１は、第１入力端８４および第２入力端８５の両入力端と接続され、また、第１出力端８６と接続されている。第１伝送部８１は、データ取得部９１、データ選択回路９２、波形矯正回路９３およびアドレス変換回路９４を有している。
【０１２３】
データ取得部９１は、第１入力端８４および第２入力端８５から入力された２系統の表示データを取得する構成であり、上述の実施の形態の第１データ取得部および第２データ取得部に相当する構成である。データ取得部９１は、表示データと共にアドレスデータを受け取り、アドレスデータに基づいて表示データの取得処理を行う。
【０１２４】
データ選択回路９２は、データ取得部９１によって取得された２つの表示データから正常な表示データを選択する。データ選択回路９２は、上述の実施の形態と同様に、冗長データに基づく誤り検出機能によって正常な表示データを選択してよい。また、故障が発生していないときは、両系統の表示データが正常である。この場合、データ選択回路９２は、第１入力端８４から入力された第１系統の表示データを選択する。選択された表示データは、表示部７２のデータ表示制御部７５に供給される。
【０１２５】
波形矯正回路９３は、ＬＶＤＳのために設けられており、波形やクロックの乱れを矯正する。アドレス変換回路９４は、次の表示ユニット７１のためにアドレスデータを変換する。この変換では、制御フラグＯＮのアドレスが１ユニット分だけ後側（下流側）にずらされる。表示データは、変換後のアドレスデータと共に、第１伝送部８１から第１出力端８６を通って次の表示ユニット７１へ向けて出力される。
【０１２６】
第２伝送部８２は、第１伝送部８１と同様に、第１入力端８４および第２入力端８５の両入力端と接続されている。出力端に関しては、第１伝送部８１が第１出力端８６と接続されているのと異なり、第２伝送部８２は第２出力端８７と接続されている。
【０１２７】
第２伝送部８２は、データ取得部９５、データ選択回路９６、波形矯正回路９７およびアドレス変換回路９８を有している。これら構成は、第１伝送部８１のデータ取得部９１、データ選択回路９２、波形矯正回路９３およびアドレス変換回路９４と概ね同様である。
【０１２８】
ただし、第１伝送部８１のデータ選択回路９２は、両系統の表示データが正常であれば第１入力端８４からの第１系統の表示データを選択した。これに対して、第２伝送部８２のデータ選択回路９６は、両系統の表示データが正常であれば第２入力端８５からの第２系統の表示データを選択する。また、第２伝送部８２で処理された表示データとアドレスデータは、第２出力端８７を通って次の表示ユニット７１へ出力される。
【０１２９】
第２伝送部８２のデータ選択回路９６も、第１伝送部８１のデータ選択回路９２と同様に、表示部７２のデータ表示制御部７５に表示データを供給する。データ表示制御部７５は、第１伝送部８１および第２伝送部８２の両方から表示データを受け取ったときは、第１伝送部８１からの表示データに従って発光部７４を動作させる。しかし、第１伝送部８１から表示データが供給されないときは、データ表示制御部７５は、第２伝送部８２からの表示データに従って発光部７４を発光させる。
【０１３０】
以上に、第２の実施の形態に係る大型映像表示装置１における表示ユニット７１の構成を説明した。その他、各表示ユニット７１の表示部７２は、第１伝送部８１と第２伝送部８２のどちらからの表示データを表示するかを切替可能に構成されている。この切替は、遠隔制御によって行われる。遠隔制御は、第１制御装置６または第２制御装置８といった制御装置により行われてよい。切替の制御信号は、表示データと共に送られて、表示部７２に供給されてよい。
【０１３１】
次に、図１１を参照し、第２の実施の形態に係る大型映像表示装置１の動作について説明する。前述したように、大型映像表示装置１では多数の表示ユニット７１が順次接続されている。図１１は、先頭の４つの表示ユニット７１を示している。図１１は、説明を簡単にするために、主として各表示ユニット７１の表示部７２、第１伝送部８１および第２伝送部８２のみを示している。
【０１３２】
まず、正常時の動作を説明する。先頭の表示ユニット７１は、第１制御系３から第１系統の表示データを受信し、第２制御系４から第２系統の表示データを受信する。
【０１３３】
両系統の表示データがアドレスデータと共に第１伝送部８１に入力される。両系統の表示データが正常な場合、第１伝送部８１は第１系統の表示データを選択し、表示部７２に供給する。また、第１伝送部８１は、第１系統の表示データに波形矯正処理を施し、さらに、表示データに付随するアドレスデータの変換処理を行う。そして、処理後の第１系統の表示データとアドレスデータは、第１出力端８６から次の表示ユニット７１の第１入力端８４へと送信される。
【０１３４】
一方、第２伝送部８２にも両系統の表示データが入力される。第２伝送部８２は、両系統の表示データが正常な場合、第２系統の表示データを選択し、表示部７２に供給する。また、第２伝送部８１は、第２系統の表示データに波形矯正処理を施し、さらに、アドレスデータの変換処理を行う。そして、処理後の第２系統の表示データとアドレスデータは、第２出力端８７から次の表示ユニット７１の第２入力端８５へと送信される。
【０１３５】
また、表示部７２は、第１伝送部８１と第２伝送部８２の両方から表示データを受け取る。正常時は、表示部７２は、第１伝送部８１からの表示データを出力する。
【０１３６】
以上に、１番目の表示ユニット７１の動作を説明した。２番目以降の表示ユニット７１も同様に動作する。したがって、各表示ユニット７１では、第１伝送部８１が２系統の表示データから第１系統の表示データを選択して次の表示ユニット７１に出力し、第２伝送部８２が第２系統の表示データを選択して次の表示ユニット７１に出力する。こうして、第１系統の表示データが第１伝送部８１により伝送され、第２系統の表示データが第２伝送部８２により伝送され、両系統の表示データが並列で伝送されていく。そして、各表示ユニット７１が表示データに従って動作することにより、全体として大型映像が表示される。
【０１３７】
次に、故障発生時の動作を説明する。図１１において、例えば、２番目の表示ユニット７１にて第１伝送部８１が故障したとする。このとき、２番目の表示ユニット７１では、表示部７１が、第２伝送部８２からの表示データを出力し、したがって、正常な表示を継続できる。
【０１３８】
また、２番目の表示ユニット７１にて第１伝送部８１が故障すると、３番目の表示ユニット７１の第１入力端８４へは表示データが入力されなくなる。しかし、３番目の表示ユニット７１の第１伝送部８１および第２伝送部８２は、第２入力端８５から正常な第２系統の表示データを受け取り、この第２系統の表示データを選択する。したがって、３番目の表示ユニット７１もその機能を維持できる。なお、３番目の表示ユニット７１の第１伝送部８１は、選択した第２系統の表示データを、第１系統の表示データとして、第１出力端８６から４番目の表示ユニット７１に出力する。
【０１３９】
上記の例では、第１伝送部８１が故障した。しかし、第２伝送部８２が故障したときも同様である。
【０１４０】
また、別の例としては、２番目の表示ユニット７１の第１伝送部８１と３番目の表示ユニット７１の第２伝送部８２とが同時に故障したとする。この場合も、２番目、３番目の表示ユニット７１は、故障していない伝送部の機能を利用して表示を継続できる。また、２番目、３番目の表示ユニット７１は１系統の表示データを出力できるので、後段の表示ユニット７１はそれらの機能を維持できる。
【０１４１】
上記の動作が可能な点で、本実施の形態は、単なる伝送系統の２重化よりも有利である。単なる伝送系統の２重化では、ある表示ユニットで第１系統の伝送部が故障し、他の表示ユニットで第２系統の伝送部が故障すると、その後の表示ユニットは表示データを受け取れない。しかし、本実施の形態では、上述のように、１つの表示ユニット内で２つの伝送部の各々が両系統の表示データの選択処理を行うので、上記のような複数箇所の故障が発生しても後段の表示ユニットが表示データを受け取れる。
【０１４２】
次に、故障部位を検出するための動作について説明する。本実施の形態では、上述の例に示されたように、１つの表示ユニット７１で第１伝送部８１または第２伝送部８２が故障しても、全体の表示が継続される。したがって、表示部位が単純には特定されない。そこで、下記の動作により故障した表示ユニット７１が特定される。
【０１４３】
ここでは、前述した遠隔操作機能が用いられる。遠隔操作機能は、１つ１つの表示ユニット７１に対して、第１伝送部８１と第２伝送部８２のどちらの表示データを発光部から出力するかを指示できる。この機能を利用して故障した伝送部が検出される。故障検出は例えば以下のようにして行われる。
【０１４４】
本実施の形態では、デフォルト設定では、全表示ユニット７１が、第１伝送部８１の表示データを出力するように構成されている。そこで、遠隔操作装置が、１つの表示ユニット７１に対して切替制御を行い、第２伝送部８２の表示データを出力させる。この切替により、表示ユニット７１が映像を出力しなくなれば、その表示ユニット７１の第２伝送部８２が故障している。
【０１４５】
上記の遠隔操作が、１つ１つの表示ユニット７１に対して順次行われる。これにより、故障した第２伝送部８２が特定され、したがって故障した表示ユニット７１も特定される。
【０１４６】
また、第１伝送部８１の故障は、例えば以下のようにして検出される。この場合、まず、全表示ユニット７１が、遠隔制御により、第２伝送部８２の表示データを出力するように切り替えられる。それから、一つの表示ユニット７１が、第１伝送部８１の表示データを出力するように切り替えられる。この切替えが、１つ１つの表示ユニット７１に対して順次行われる。これにより、第２伝送部８２の場合と同様に、故障した第１伝送部８１を特定でき、したがって故障した表示ユニット７１も特定できる。
【０１４７】
上記の例では、遠隔操作は、表示部７１が第１伝送部８１と第２伝送部８２のどちらの表示データを出力するかを切り替える操作であった。他の遠隔操作でも、故障部位の検出が可能である。例としては、遠隔操作が、データ選択回路９２、９６が２つの表示データのどちらを選択するかを強制的に切り替えてもよい。別の例では、遠隔操作が、第１伝送部８１または第２伝送部８２の一方の動作を抑制してもよい。これらの例でも、遠隔操作の対象ユニットを順次変えていくことにより、上述の例と同様に、故障部位を検出可能である。
【０１４８】
以上に本発明の第２の実施の形態に係る大型映像表示装置について説明した。本実施の形態によれば、複数の系統で同一の表示データが大型映像表示部２に供給される。大型映像表示部２では、各表示ユニット７１の伝送部７３が、複数の系統の表示データを取得して、取得された複数の系統の表示データから正常な表示データを選択するように構成されている。したがって、各表示ユニット７１は、前段の表示ユニットに伝送部７３の故障が生じ、一つの系統の表示データを正常に取得できなくても、他の系統の正常な表示データを取得することができる。これにより、伝送部７３の故障が発生したときの異常動作部位を少なくでき、信頼性を向上することができる。
【０１４９】
また、本実施の形態によれば、表示ユニット７１が複数の伝送部８１、８２を備え、複数の伝送部８１、８２の各々が、複数の系統の表示データを入力して、複数の系統の表示データから正常な表示データを選択するように構成されている。このような構成により、１つの表示ユニット７１で１系統の伝送部に故障が生じても、後段の表示ユニット７１が複数の系統の表示データの取得を継続できる。したがって、単なる多重化を越えた信頼性の向上が可能である。
【０１５０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１５１】
以上のように、本発明にかかる大型映像表示装置は、表示ユニットの伝送部の故障が発生しても、異常動作部位を少なくでき、信頼性を向上できるという効果を有し、競技場、イベント会場等の各種施設用の表示装置等として有用である。
【図面の簡単な説明】
【０１５２】
【図１】本発明の第１の実施の形態における大型映像表示装置を示す図
【図２】大型映像表示装置の全体構成を示す図
【図３】大型映像表示装置の制御系の構成を示す図
【図４】大型映像表示部の一部の表示ユニットを示す図
【図５】一つの表示ユニットの構成を示す図
【図６】表示データとアドレスデータを示す図
【図７】アドレス変換処理を示す図
【図８】ユニット間のケーブルの構成としてのコネクタピン配置を示す図
【図９】ユニット間のケーブルの内部交差構造を示す図
【図１０】第２の実施の形態に係る大型映像表示装置を構成する表示ユニットを示す図
【図１１】第２の実施の形態に係る大型映像表示装置の動作を説明する図
【図１２】従来の大型映像表示装置を示す図
【図１３】従来の大型映像表示装置を構成する表示ユニットを示す図
【符号の説明】
【０１５３】
１  大型映像表示
２  大型映像表示部
３  第１制御系
４  第２制御系
５  表示ユニット
３１  伝送部
４１  表示部
４２  発光部
４３  データ表示制御部
４４  伝送部
４５  表示装置電源
５１  着脱可能部
５２  バイパス経路
５７  ケーブル
６１  入力側アドレス変換回路
６２  第１データ取得部
６３  第２データ取得部
６４  データ選択回路
６５  波形矯正回路
６６  出力側アドレス変換回路
【図１】
2007298753.tif 000003
【図２】
2007298753.tif 000004
【図３】
2007298753.tif 000005
【図４】
2007298753.tif 000006
【図５】
2007298753.tif 000007
【図６】
2007298753.tif 000008
【図７】
2007298753.tif 000009
【図８】
2007298753.tif 000010
【図９】
2007298753.tif 000011
【図１０】
2007298753.tif 000012
【図１１】
2007298753.tif 000013
【図１２】
2007298753.tif 000014
【図１３】
2007298753.tif 000015